(57)【要約】【課題】エンジンと車輪とを切り離して走行する惰性走行を実行する際に、所望の走行性能を実現する。【解決手段】運転者が動力性能を重視しているか否かに基づいて、エンジン１４の状態が異なる惰性走行を最適に選択できる。例えば、運転者が動力性能を重視しているときは、通常走行への復帰時にエンジンの始動を必要としないニュートラル惰性走行を選択することで、エンジン１４と車輪２０とを連結したままの惰性走行（例えばエンジンブレーキ走行）よりも燃費を良くしつつ、運転者の動力性能重視の期待にも応えることができる。一方で、運転者が動力性能を重視していないときは、エンジン１４を停止するフリーラン惰性走行を選択することで、燃費を大幅に向上させることができる。従って、運転者が動力性能よりも燃費性能を重視しているときにフリーラン惰性走行を選択することで、運転者の燃費性能重視の期待に応えることができる。【選択図】図３
2014084960.tif 000002
【特許請求の範囲】
【請求項１】
エンジンと、該エンジンと車輪とを切り離す断接装置とを備え、走行中に該エンジンと該車輪とを切り離すと共に該エンジンを停止して惰性走行するフリーラン惰性走行と、走行中に該エンジンと該車輪とを切り離すと共に該エンジンを自立運転して惰性走行するニュートラル惰性走行とが可能な車両の走行制御装置において、
前記ニュートラル惰性走行を実行する場合は、前記フリーラン惰性走行を実行する場合と比べて、動力性能と燃費性能とのうちで該動力性能を重視する度合が大きいときであることを特徴とする車両の走行制御装置。
【請求項２】
運転モードとして、動力性能を引き出しつつ燃費の良い状態で運転可能なように走行を行う為の予め定められたノーマルモードと、該ノーマルモードと比較して燃費性能よりも動力性能を優先した状態で運転可能なように走行を行う為の予め定められたスポーツモードとを有しており、
前記動力性能を重視する度合が大きいときとは、前記ノーマルモードが選択されているときに対して、前記スポーツモードが選択されているときであることを特徴とする請求項１に記載の車両の走行制御装置。
【請求項３】
運転モードとして、動力性能を引き出しつつ燃費の良い状態で運転可能なように走行を行う為の予め定められたノーマルモードと、該ノーマルモードと比較して動力性能よりも燃費性能を優先した状態で運転可能なように走行を行う為の予め定められたエコモードとを有しており、
前記動力性能を重視する度合が大きいときとは、前記エコモードが選択されているときに対して、前記ノーマルモードが選択されているときであることを特徴とする請求項１又は２に記載の車両の走行制御装置。
【請求項４】
前記エンジンの動力を前記車輪側へ伝達する自動変速機を備え、
前記自動変速機の変速モードとして、前記自動変速機を自動変速する自動変速モードと、人為的な変速操作により該自動変速機を変速する手動変速モードとを有しており、
前記動力性能を重視する度合が大きいときとは、前記自動変速モードが選択されているときに対して、前記手動変速モードが選択されているときであることを特徴とする請求項１乃至３の何れか１項に記載の車両の走行制御装置。
【請求項５】
前記エンジンの動力を前記車輪側へ伝達する自動変速機と、
車両を前進走行させるときに選択される前進走行ポジションを有するポジション選択装置と、
前記自動変速機を変速する為に人為的に操作される変速操作装置とを備え、
前記動力性能を重視する度合が大きいときとは、前記前進走行ポジションにて、前記変速操作装置が人為的に操作されていないときに対して、前記変速操作装置が人為的に操作されたときであることを特徴とする請求項１乃至４の何れか１項に記載の車両の走行制御装置。
【請求項６】
前記前進走行ポジションは、前記自動変速機を自動変速する自動変速モードを成立させる自動変速ポジション、或いは人為的な変速操作により該自動変速機を変速する手動変速モードを成立させる手動変速ポジションであることを特徴とする請求項５に記載の車両の走行制御装置。
【発明の詳細な説明】
【技術分野】
【０００１】
本発明は、エンジンと車輪とを切り離した状態で惰性走行することができる車両の走行制御装置に係り、特に、その惰性走行中のエンジンの作動状態に関するものである。
【背景技術】
【０００２】
エンジンと車輪とを切り離す断接装置（例えばクラッチ）を備える車両において、走行距離を延ばして燃費を改善する為に、エンジンと車輪とを連結してそのエンジンの動力によって走行する通常走行中に所定条件を満たしたことで、車両を惰性走行させることが考えられている。例えば、特許文献１には、アクセルオフ等を条件として、車両走行中にクラッチを解放することでエンジンと車輪とを切り離して車両を惰性走行させる車両の制御装置が提案されている。また、この特許文献１には、惰性走行しているときのエンジンの状態は、特に区別されることなく「アイドル状態」或いは「停止状態」とすることが記載されている。
【先行技術文献】
【特許文献】
【０００３】
【特許文献１】特開２００２−２２７８８５号公報
【発明の概要】
【発明が解決しようとする課題】
【０００４】
ところで、運転者（ユーザ）が運転モード等を選択することにより動力性能を重視した走行或いは燃費性能を重視した走行を選択することができる車両も良く知られている。例えば、ユーザ操作によって運転モードを切り替えることによって、ある程度燃費性能を低下させつつ動力性能を向上させた走行を実現したり、ある程度動力性能を低下させつつ燃費性能を向上させた走行を実現したりすることができる。しかしながら、上記惰性走行中のエンジンの状態が「アイドル状態」と「停止状態」とでは惰性走行からの復帰の手順が異なるので、運転者が選択した走行性能に拘わらず一律に惰性走行中のエンジンの状態を決めると、運転者が期待した走行性能が得られない可能性がある。
【０００５】
具体的には、エンジンの状態が「アイドル状態」とされている場合、所定の復帰条件の成立後、クラッチを係合し、車両を加速させるという手順となる。エンジンの状態が「停止状態」とされている場合、所定の復帰条件の成立後、エンジンを始動させてからクラッチを係合し、車両を加速させるという手順となる。従って、エンジンが「停止状態」の場合は、惰性走行からの復帰時にエンジン始動が必要となる為に、エンジンが「アイドル状態」の場合と比べて、運転者が所望する駆動力を発生させるまでの応答性が劣る。その為、復帰時の応答性を良くする為に、惰性走行中のエンジンを「アイドル状態」とすることが考えられるが、「アイドル状態」は「停止状態」よりも燃費性能が低下する可能性がある。これに対して、燃費性能を重視して惰性走行中のエンジンを「停止状態」とすると、復帰時にエンジンを始動するステップが入る為、動力性能が低下する可能性がある。尚、上述したような課題は未公知であり、走行性能に対する運転者の意図に合わせて、「停止状態」か「アイドル状態」かでエンジンの状態が異なる２種類の惰性走行を適切に選択することについて未だ提案されていない。
【０００６】
本発明は、以上の事情を背景として為されたものであり、その目的とするところは、エンジンと車輪とを切り離して走行する惰性走行を実行する際に、所望の走行性能を実現することができる車両の走行制御装置を提供することにある。
【課題を解決するための手段】
【０００７】
前記目的を達成する為の第１の発明の要旨とするところは、(a) エンジンと、そのエンジンと車輪とを切り離す断接装置とを備え、走行中にそのエンジンとその車輪とを切り離すと共にそのエンジンを停止して惰性走行するフリーラン惰性走行と、走行中にそのエンジンとその車輪とを切り離すと共にそのエンジンを自立運転して惰性走行するニュートラル惰性走行とが可能な車両の走行制御装置において、(b) 前記ニュートラル惰性走行を実行する場合は、前記フリーラン惰性走行を実行する場合と比べて、動力性能と燃費性能とのうちでその動力性能を重視する度合が大きいときである。
【発明の効果】
【０００８】
このようにすれば、運転者が動力性能を重視しているか否かに基づいて、エンジンの状態が異なる惰性走行を最適に選択できる。例えば、運転者が動力性能を重視しているときは、通常走行への復帰時にエンジンの始動を必要としないニュートラル惰性走行を選択することで、エンジンと車輪とを連結したままの惰性走行よりも燃費を良くしつつ、運転者の動力性能重視の期待にも応えることができる。一方で、運転者が動力性能を重視していないときは、エンジンを停止するフリーラン惰性走行を選択することで、燃費を大幅に向上させることができる。従って、運転者が動力性能よりも燃費性能を重視しているときにフリーラン惰性走行を選択することで、運転者の燃費性能重視の期待に応えることができる。よって、エンジンと車輪とを切り離して走行する惰性走行を実行する際に、所望の走行性能を実現することができる。つまり、エンジンの状態が異なる惰性走行を実行する際に、動力性能と燃費性能とを両立させることができる。
【０００９】
ここで、第２の発明は、前記第１の発明に記載の車両の走行制御装置において、運転モードとして、動力性能を引き出しつつ燃費の良い状態で運転可能なように走行を行う為の予め定められたノーマルモードと、そのノーマルモードと比較して燃費性能よりも動力性能を優先した状態で運転可能なように走行を行う為の予め定められたスポーツモードとを有しており、前記動力性能を重視する度合が大きいときとは、前記ノーマルモードが選択されているときに対して、前記スポーツモードが選択されているときである。このようにすれば、運転者がスポーツモードを選択しているかノーマルモードを選択しているかに基づいて、エンジンの状態が異なる惰性走行を最適に選択できる。
【００１０】
また、第３の発明は、前記第１の発明又は第２の発明に記載の車両の走行制御装置において、運転モードとして、動力性能を引き出しつつ燃費の良い状態で運転可能なように走行を行う為の予め定められたノーマルモードと、そのノーマルモードと比較して動力性能よりも燃費性能を優先した状態で運転可能なように走行を行う為の予め定められたエコモードとを有しており、前記動力性能を重視する度合が大きいときとは、前記エコモードが選択されているときに対して、前記ノーマルモードが選択されているときである。このようにすれば、運転者がノーマルモードを選択しているかエコモードを選択しているかに基づいて、エンジンの状態が異なる惰性走行を最適に選択できる。
【００１１】
また、第４の発明は、前記第１の発明乃至第３の発明の何れか１つに記載の車両の走行制御装置において、前記エンジンの動力を前記車輪側へ伝達する自動変速機を備え、前記自動変速機の変速モードとして、前記自動変速機を自動変速する自動変速モードと、人為的な変速操作によりその自動変速機を変速する手動変速モードとを有しており、前記動力性能を重視する度合が大きいときとは、前記自動変速モードが選択されているときに対して、前記手動変速モードが選択されているときである。このようにすれば、運転者が手動変速モードを選択しているか自動変速モードを選択しているかに基づいて、エンジンの状態が異なる惰性走行を最適に選択できる。
【００１２】
また、第５の発明は、前記第１の発明乃至第４の発明の何れか１つに記載の車両の走行制御装置において、前記エンジンの動力を前記車輪側へ伝達する自動変速機と、車両を前進走行させるときに選択される前進走行ポジションを有するポジション選択装置と、前記自動変速機を変速する為に人為的に操作される変速操作装置とを備え、前記動力性能を重視する度合が大きいときとは、前記前進走行ポジションにて、前記変速操作装置が人為的に操作されていないときに対して、前記変速操作装置が人為的に操作されたときである。このようにすれば、運転者が前進走行ポジションにて変速操作装置を操作したか否かに基づいて、エンジンの状態が異なる惰性走行を最適に選択できる。
【００１３】
また、第６の発明は、前記第５の発明に記載の車両の走行制御装置において、前記前進走行ポジションは、前記自動変速機を自動変速する自動変速モードを成立させる自動変速ポジション、或いは人為的な変速操作によりその自動変速機を変速する手動変速モードを成立させる手動変速ポジションである。このようにすれば、ポジション選択装置が自動変速ポジションとされているか手動変速ポジションとされているかに拘わらず、変速操作装置が人為的に操作されたか否かに基づいてエンジンの状態が異なる惰性走行を最適に選択できる。
【図面の簡単な説明】
【００１４】
【図１】本発明が適用される車両に備えられた駆動装置の概略構成を説明する図であると共に、車両における制御系統の要部を説明する図である。
【図２】図１の車両にて実行される３つの走行モードを説明する図である。
【図３】電子制御装置の制御作動の要部すなわちエンジンと車輪とを切り離して走行する惰性走行を実行する際に所望の走行性能を実現する為の制御作動を説明するフローチャートである。
【図４】図３のフローチャートに示す制御作動を実行した場合のタイムチャートである。
【図５】電子制御装置の制御作動の要部すなわちエンジンと車輪とを切り離して走行する惰性走行を実行する際に所望の走行性能を実現する為の制御作動を説明するフローチャートであって、図３に相当する別の実施例である。
【図６】変速操作を行う為にシフトレバーとは別に設けられたパドルスイッチの一例を示す図である。
【図７】電子制御装置の制御作動の要部すなわちエンジンと車輪とを切り離して走行する惰性走行を実行する際に所望の走行性能を実現する為の制御作動を説明するフローチャートであって、図３に相当する別の実施例である。
【発明を実施するための形態】
【００１５】
本発明において、好適には、前記自動変速機は、自動変速機単体、或いは流体式伝動装置を有する自動変速機などにより構成される。例えば、この自動変速機は、公知の遊星歯車式自動変速機、公知の同期噛合型平行２軸式変速機ではあるが油圧アクチュエータによりギヤ段が自動的に切換られる同期噛合型平行２軸式自動変速機、同期噛合型平行２軸式自動変速機であるが入力軸を２系統備える型式の所謂ＤＣＴ（Dual Clutch Transmission）、或いは公知のベルト式無段変速機やトロイダル式無段変速機などにより構成される。
【００１６】
また、好適には、前記断接装置は、摩擦係合式のクラッチやブレーキが用いられるが、電気的に反力を制御して動力伝達を接続遮断することもできるなど、種々の断接装置を採用できる。複数のクラッチやブレーキを備えていてニュートラルが可能な自動変速機を利用することもできる。
【００１７】
また、好適には、前記エンジンは、例えば燃料の燃焼によって動力を発生するガソリンエンジンやディーゼルエンジン等の内燃機関である。また、前記車両は、駆動力源として少なくとも前記エンジンを備えていれば良いが、このエンジンの他に、電動モータ等の他の駆動力源を備えていても良い。
【００１８】
以下、本発明の実施例を図面を参照しつつ詳細に説明する。
【実施例１】
【００１９】
図１は、本発明が適用される車両１０に備えられた駆動装置１２の概略構成を説明する図であると共に、車両１０における各種制御の為の制御系統の要部を説明する図である。図１において、駆動装置１２は、エンジン１４と自動変速機１６とを備えており、駆動力源としてのエンジン１４の動力は自動変速機１６から差動歯車装置１８を介して左右の車輪２０に伝達される。エンジン１４と自動変速機１６との間には、例えばダンパ装置やトルクコンバータ等の動力伝達装置が設けられているが、駆動力源として機能するモータジェネレータを配設することもできる。
【００２０】
エンジン１４は、電子スロットル弁や燃料噴射装置や点火装置などのエンジン１４の出力制御に必要な種々の機器を有するエンジン制御装置３０を備えている。電子スロットル弁は吸入空気量を、燃料噴射装置は燃料の供給量を、点火装置は点火時期を、それぞれ制御するものであり、基本的には運転者による車両１０に対する駆動要求量に対応するアクセルペダルの操作量（アクセル操作量）θacc に応じて制御される。燃料噴射装置は、車両走行中であってもアクセル操作量θacc が零と判定されるアクセルオフ時等に燃料供給を停止（フューエルカットＦ／Ｃ）することができる。
【００２１】
自動変速機１６は、複数の油圧式摩擦係合装置（クラッチやブレーキ）の係合解放状態によって変速比ｅが異なる複数のギヤ段が成立させられる遊星歯車式等の有段の自動変速機である。自動変速機１６では、油圧制御装置３２に設けられた電磁式の油圧制御弁や切換弁等によって油圧式摩擦係合装置が各々係合解放制御されることにより、運転者のアクセル操作や車速Ｖ等に応じて所定のギヤ段が成立させられる。クラッチＣ１は自動変速機２０の入力クラッチとして機能するもので、同じく油圧制御装置３２によって係合解放制御される油圧式摩擦係合装置である。このクラッチＣ１は、エンジン１４と車輪２０との間を接続したり遮断したりする断接装置に相当する。自動変速機１６として、有段変速機の代わりにベルト式等の無段変速機を用いることもできる。
【００２２】
車両１０は、所定の関係としての公知の変速マップに従って自動変速機１６を自動変速する自動変速モードと運転者による変速操作により自動変速機１６を変速することが可能な手動変速モードとを有して、自動変速モードと手動変速モードとの間で自動変速機１６の変速モードを切り替えることが可能である。その為、車両１０には、変速モードを自動変速モードとする為の（すなわち自動変速モードを成立させる為の）自動変速ポジションと変速モードを手動変速モードとする為の（すなわち手動変速モードを成立させる為の）手動変速ポジションとを含む複数種類のシフトポジションＰshを有して、そのシフトポジションＰshを人為的操作により選択することができるポジション選択装置としてのシフト操作装置４０が例えば運転席の近傍に配設されている。シフト操作装置４０は、複数種類のシフトポジションＰshを選択する為に操作されるシフトレバー４２を備えている。
【００２３】
シフトレバー４２は、公知の、駐車ポジション（Ｐポジション）である「Ｐ（パーキング）」、後進走行ポジション（Ｒポジション）である「Ｒ（リバース）」、中立ポジション（Ｎポジション）である「Ｎ（ニュートラル）」、自動変速ポジションとしての前進用の自動走行ポジション（ドライブポジション、Ｄポジション）である「Ｄ（ドライブ）」、又は手動変速ポジションとしての前進用の手動走行ポジション（マニュアルポジション、Ｍポジション）である「Ｍ（マニュアル）」へ手動操作されるように設けられている。
【００２４】
上記「Ｐ」乃至「Ｍ」に示す各シフトポジションＰshにおいて、「Ｐ」及び「Ｎ」は、車両を走行させないときに選択される非走行ポジションであって、車両１０を駆動不能とする動力伝達経路の動力伝達遮断状態へ切換えを選択する為の非駆動ポジションである。また、「Ｒ」、「Ｄ」、及び「Ｍ」は、車両１０を走行させるときに選択される走行ポジションであって、車両１０を駆動可能とする動力伝達経路の動力伝達可能状態への切換えを選択する為の駆動ポジションでもある。特に、「Ｄ」及び「Ｍ」は、車両１０を前進走行させるときに選択される前進走行ポジションである。  「Ｍ」では、自動変速機１６の変速比ｅがシフトレバー４２のアップシフト位置「＋」又はダウンシフト位置「−」への操作に応じて変更される。これにより、シフトレバー４２のユーザ操作に基づいて、所望の変速比ｅに切り換えられる。
【００２５】
車両１０は、動力性能を引き出しつつ燃費の良い状態で運転可能なように走行を行う為の予め定められたノーマルモードと、そのノーマルモードと比較して燃費性能よりも動力性能を優先した状態で運転可能なように走行を行う為の予め定められたスポーツモード（すなわちパワーモード）と、そのノーマルモードと比較して動力性能よりも燃費性能を優先した状態で運転可能なように走行を行う為の予め定められたエコモードとを有して、ノーマルモードとスポーツモードとエコモードとの間で運転モードを切り替えることが可能である。その為、車両１０には、運転モードをスポーツモードとする為のスポーツモードスイッチ４４と運転モードをエコモードとする為のエコモードスイッチ４６とを備えて、運転モードを人為的操作により選択することができる運転モード選択スイッチ４８が例えば運転席の近傍に配設されている。この運転モード選択スイッチ４８は、例えばシーソー型スイッチであって、運転者が所望する運転モードでの車両走行を選択可能とするものであり、スポーツモードスイッチ４４或いはエコモードスイッチ４６が運転者により押されることで、スポーツモード或いはエコモードが選択（設定）される。また、スポーツモードスイッチ４４及びエコモードスイッチ４６が何れも押されていない場合には、ノーマルモードが選択（設定）される。
【００２６】
車両１０には、例えばクラッチＣ１の係合解放制御などに関連する車両１０の走行制御装置を含む電子制御装置７０が備えられている。電子制御装置７０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置７０は、エンジン１４の出力制御、自動変速機１６の変速制御、クラッチＣ１のトルク容量制御等を実行するようになっており、必要に応じてエンジン制御用や油圧制御用等に分けて構成される。電子制御装置７０には、各種センサやスイッチ（例えばエンジン回転速度センサ５０、タービン回転速度センサ５２、入力回転速度センサ５４、出力回転速度センサ５６、アクセル操作量センサ５８、シフトポジションセンサ６０、運転モード選択スイッチ４８など）による検出値に基づく各種信号（例えばエンジン１４の回転速度であるエンジン回転速度Ｎe、トルクコンバータのタービン軸の回転速度であるタービン回転速度Ｎt、自動変速機１６の入力回転速度である変速機入力回転速度Ｎin、車速Ｖに対応する自動変速機１６の出力回転速度である変速機出力回転速度Ｎout、アクセル操作量θacc、シフトレバー４２の操作位置であるシフトポジションＰsh、スポーツモードスイッチ４４或いはエコモードスイッチ４６がユーザ操作されたことを表すモードオンＳＷ_ONなど）が、それぞれ供給される。電子制御装置７０からは、例えばエンジン１４の出力制御の為のエンジン出力制御指令信号Ｓe、クラッチＣ１の係合制御や自動変速機１６の変速制御の為の油圧指令信号Ｓpなどが、エンジン制御装置３０や油圧制御装置３２などへそれぞれ出力される。
【００２７】
電子制御装置７０は、エンジン出力制御手段すなわちエンジン出力制御部７２、変速制御手段すなわち変速制御部７４、フリーラン惰性走行手段すなわちフリーラン惰性走行部７６、ニュートラル惰性走行手段すなわちニュートラル惰性走行部７８、走行モード判断手段すなわち走行モード判断部８０を機能的に備えている。
【００２８】
エンジン出力制御部７２は、例えば要求されたエンジントルクＴe（以下、要求エンジントルクＴedem）が得られるように、電子スロットル弁を開閉制御したり、燃料噴射装置による燃料噴射量を制御したり、点火装置による点火時期を制御するエンジン出力制御指令信号Ｓeをエンジン制御装置３０へ出力する。エンジン出力制御部７２は、例えばアクセル操作量θaccをパラメータとして車速Ｖと要求駆動力Ｆdemとの予め記憶された不図示の関係（駆動力マップ）から実際のアクセル操作量θacc及び車速Ｖに基づいて駆動要求量としての要求駆動力Ｆdemを算出し、現在の自動変速機１６のギヤ段における変速比ｅなどに基づいて、その要求駆動力Ｆdemが得られる要求エンジントルクＴedemを算出する。また、エンジン出力制御部７２は、例えばスポーツモードが選択されている場合には、ノーマルモード時と比較して、運転者のアクセル操作に対して応答性を高めるように電子スロットル弁等を制御したり、エコモードが選択されている場合には、ノーマルモード時と比較して、実用燃費を向上させる為に、アクセル操作量θaccに対する駆動力Ｆが穏やかになるように電子スロットル弁等を制御したりしても良い。前記駆動要求量としては、車輪２０における要求駆動力Ｆdem[Ｎ]の他に、車輪２０における要求駆動トルクＴouttgt[Ｎｍ]、車輪２０における要求駆動パワー[Ｗ]、自動変速機１６における要求変速機出力トルク、及び自動変速機１６における要求変速機入力トルク、要求エンジントルクＴedem等を用いることもできる。また、駆動要求量として、単にアクセル操作量θacc[％]やスロットル弁開度[％]やエンジン１４の吸入空気量[g/sec]等を用いることもできる。
【００２９】
変速制御部７４は、自動変速機１６の変速制御を実行する。具体的には、変速制御部７４は、シフトポジションＰshがＤポジションである場合には、自動変速モードを成立させて、車速Ｖ及び駆動要求量を変数として予め定められて記憶された公知の関係（変速マップ、変速線図）から実際の車速Ｖ及び駆動要求量で示される車両状態に基づいて変速判断を行う。そして、変速制御部７４は、自動変速機１６の変速を実行すべきと判断した場合には、その判断したギヤ段が達成されるように、自動変速機１６の変速に関与する油圧式摩擦係合装置を係合及び／又は解放させる油圧指令信号Ｓpを油圧制御装置３２へ出力する。一方で、変速制御部７４は、シフトポジションＰshがＭポジションである場合には、手動変速モードを成立させて、上記変速マップに依ることなく、シフトレバー４２における運転者による変速操作に応じたギヤ段が得られるように自動変速機１６の変速制御を実行する油圧指令信号Ｓpを油圧制御装置３２へ出力する。また、変速制御部７４は、ノーマルモードが選択されている場合には、例えば車両１０の動力性能を充分引き出しつつ燃費の良い状態で運転可能なようにすなわち燃費性能と走行性能（動力性能）とを両立させるギヤ段にて運転可能なように予め定められた通常時変速マップに従って自動変速機１６の自動変速制御を実行する。一方、変速制御部７４は、スポーツモードが選択されている場合には、例えばノーマルモード時に用いる通常時変速マップと比較して相対的に低車速側（ローギヤ比側）のギヤ段が選択され易いように予め定められたスポーツ走行時変速マップに従って自動変速機１６の自動変速制御を実行する。他方、変速制御部７４は、エコモードが選択されている場合には、例えば通常時変速マップと比較して相対的に高車速側（ハイギヤ比側）のギヤ段が選択され易いように予め定められたエコ走行時変速マップに従って自動変速機１６の自動変速制御を実行する。
【００３０】
エンジン出力制御部７２、変速制御部７４、フリーラン惰性走行部７６、ニュートラル惰性走行部７８は、それぞれ図２に示す３種類の走行モードを実行する。エンジン出力制御部７２及び変速制御部７４は、エンジン１４と車輪２０とを連結した状態で（すなわちクラッチＣ１を係合した状態で）エンジン１４の動力によって走行する通常走行を行う。具体的には、エンジン出力制御部７２は、上述した通り、駆動要求量が得られるようにエンジン１４の出力制御を実行すると共に、変速制御部７４は、上記変速マップから実際の車速Ｖ及び駆動要求量で示される車両状態に基づいてクラッチＣ１の係合を含む自動変速機１６の変速制御を実行する。
【００３１】
フリーラン惰性走行部７６は、走行中にエンジン１４と車輪２０とを切り離すと共にエンジン１４を停止して惰性走行するフリーラン惰性走行（フリーラン惰行ともいう）を行う。具体的には、フリーラン惰性走行部７６は、クラッチＣ１を解放してエンジン１４を車輪２０から切り離すと共に、エンジン１４に対する燃料供給を停止するフューエルカットＦ／Ｃを行い、エンジン１４の回転を停止させた状態で惰性走行（惰行ともいう）を実行する。このフリーラン惰性走行では、クラッチＣ１が解放されることからエンジンブレーキ力は略０になる為、走行抵抗が小さくなって惰性走行による走行距離が長くなり、フューエルカットＦ／Ｃと相俟って一層燃費を向上させることができる。
【００３２】
ニュートラル惰性走行部７８は、走行中にエンジン１４と車輪２０とを切り離すと共にエンジン１４を自立運転して惰性走行するニュートラル惰性走行（Ｎ惰行ともいう）を行う。具体的には、ニュートラル惰性走行部７８は、クラッチＣ１を解放してエンジン１４を車輪２０から切り離す一方、エンジン１４に燃料を供給してアイドリング状態で作動させた状態で惰性走行を実行する。このニュートラル惰性走行では、エンジン１４はアイドリング状態で作動させられるものの、クラッチＣ１が解放される為、惰性走行による走行距離が長くなり、燃費を向上させるという一応の効果は得られる。つまり、ニュートラル惰性走行では、エンジン１４と車輪２０とを連結した状態で惰性走行するエンジンブレーキ走行よりも燃費を向上させることができる。
【００３３】
走行モード判断部８０は、上記通常走行、フリーラン惰性走行、及びニュートラル惰性走行の３種類の走行モードの何れのモードで車両走行するかを判断して、その判断した走行モードへ切り換える。具体的には、走行モード判断部８０は、例えばアクセル操作量θacc が零と判定されないアクセルオン時には、基本的に通常走行の実行を判断する。一方、走行モード判断部８０は、通常走行中に、例えば所定時間以上連続してアクセルオフされた場合には、予め定められた惰性走行条件に基づいて、フリーラン惰性走行或いはニュートラル惰性走行の実行を判断する。上記惰性走行条件は、例えば車速Ｖやブレーキ操作力などで切り分けるなどして、フリーラン惰性走行とニュートラル惰性走行とを車両状態が各々全く異なる領域にて実行するように予め定められている。或いは、上記惰性走行条件は、例えば基本的には燃費向上効果が高いフリーラン惰性走行を実行して、エンジン１４の暖機が必要な場合、エンジン１４の動力によるバッテリーの充電が必要な場合、エンジン１４の動力による機械的オイルポンプの駆動が必要な場合などにニュートラル惰性走行を実行するように予め定められていても良い。或いは、上記惰性走行条件は、例えば車速Ｖやブレーキ操作力などで切り分けるなどして、フリーラン惰性走行とニュートラル惰性走行とを車両状態が一部分重なる領域を有して実行するように予め定められると共に、その重なる領域に関しては、エンジン１４の暖機等の要否に基づいて何れかを実行するように予め定められていても良い。
【００３４】
走行モード判断部８０は、フリーラン惰性走行中或いはニュートラル惰性走行中に、通常走行へ復帰させる為の所定の復帰条件（すなわち惰性走行を解除する解除条件）が成立した場合には、その惰性走行を解除し、通常走行への復帰を判断する。上記所定の復帰条件は、以下に示すような複数種類の条件のうちの何れか１つである。例えば、復帰条件は、前記駆動要求量の増大（例えばアクセルオン）という条件Ａである。また、復帰条件は、ブレーキ操作力が所定ブレーキ操作力以上、操舵角が所定操舵角以上、或いは車間距離が所定車間距離以下となるなどの条件Ｂである。上記条件Ｂが成立した場合には、エンジンブレーキ走行へ移行しても良い。
【００３５】
ところで、フリーラン惰性走行は、ニュートラル惰性走行と比較して、エンジン１４をフューエルカットＦ／Ｃするので、燃費が向上させられるものの、通常走行へ復帰する場合はエンジン１４を始動させる必要がある為、応答性が劣っている。一方で、車両１０では、運転者は、自動変速機１６の変速モードとして、自動変速モードに加えて手動変速モードを選択することができる。運転者が手動変速モードを選択する場合には、自動変速モードと比較して、例えば燃費性能については多少犠牲にしてでも動力性能を向上させた走行すなわち動力性能を重視した走行を望んでいると考えられる。その為、惰性走行における燃費性能、通常走行へ復帰するときの応答性（換言すれば復帰時の動力性能）の各々の特性の違いを考慮して、フリーラン惰性走行或いはニュートラル惰性走行の実行を判断することが望ましい。
【００３６】
そこで、走行モード判断部８０は、フリーラン惰性走行の実行を判断する場合と比べて、動力性能と燃費性能とのうちでその動力性能を重視する度合が大きいときは、ニュートラル惰性走行の実行を判断する。具体的には、前記動力性能を重視する度合が大きいときとは、例えば自動変速モードが選択されているとき（すなわちＤポジションが選択されているとき）に対して、手動変速モード（すなわちＭポジションが選択されているとき）が選択されているときである。走行モード判断部８０は、通常走行中にアクセルオフ等によって惰性走行の実行を判断したときに、Ｍポジションが選択されている場合には、ニュートラル惰性走行の実行を判断する。一方で、走行モード判断部８０は、通常走行中にアクセルオフ等によって惰性走行の実行を判断したときに、Ｄポジションが選択されている場合には、フリーラン惰性走行の実行を判断する。或いは、走行モード判断部８０は、Ｄポジション選択時には、予め定められた惰性走行条件に基づいてフリーラン惰性走行或いはニュートラル惰性走行の実行を判断しても良い。また、走行モード判断部８０は、フリーラン惰性走行中或いはニュートラル惰性走行中にＤポジションとＭポジションとの選択が切り替えられた場合には、上述したＤポジション選択時或いはＭポジション選択時に対応する惰性走行の実行を判断する。
【００３７】
図３は、電子制御装置７０の制御作動の要部すなわちエンジン１４と車輪２０とを切り離して走行する惰性走行を実行する際に所望の走行性能を実現する為の制御作動を説明するフローチャートであり、例えば数ｍｓｅｃ乃至数十ｍｓｅｃ程度の極めて短いサイクルタイムで繰り返し実行される。図４は、図３のフローチャートに示す制御作動を実行した場合のタイムチャートである。
【００３８】
図３において、先ず、走行モード判断部８０に対応するステップ（以下、ステップを省略する）Ｓ１０において、例えば車速Ｖに基づいて車両１０が走行中であるか否かが判断される。このＳ１０の判断が否定される場合は本ルーチンが終了させられるが肯定される場合は走行モード判断部８０に対応するＳ２０において、アクセルオフとされたか否かが判断される。このＳ２０の判断が否定される場合は本ルーチンが終了させられるが肯定される場合は走行モード判断部８０に対応するＳ３０において、シフトポジションＰshがＤポジションであるか否かが判断される。このＳ３０の判断が肯定される場合は走行モード判断部８０、フリーラン惰性走行部７６、及びニュートラル惰性走行部７８に対応するＳ４０において、フリーラン惰性走行の実行が判断されるか、或いは予め定められた惰性走行条件に基づいてフリーラン惰性走行或いはニュートラル惰性走行の実行が判断されて（図４のｔ１時点）、その判断された惰性走行が実行される（図４のｔ１時点乃至ｔ２時点参照）。このＳ３０の判断が否定される場合は走行モード判断部８０に対応するＳ５０において、シフトポジションＰshがＭポジションであるか否かが判断される。このＳ５０の判断が否定される場合は本ルーチンが終了させられるが肯定される場合は走行モード判断部８０及びニュートラル惰性走行部７８に対応するＳ６０において、ニュートラル惰性走行の実行が判断されて（図４のｔ４時点）、そのニュートラル惰性走行が実行される（図４のｔ４時点乃至ｔ５時点参照）。尚、繰り返し実行される本フローチャートにおいて、上記Ｓ４０におけるフリーラン惰性走行中にＭポジションが選択されると、上記Ｓ５０の判断が肯定され、また、上記Ｓ６０におけるニュートラル惰性走行中にＤポジションが選択されると、上記Ｓ３０の判断が肯定される。
【００３９】
図４において、走行中にアクセルオフされたときにＤポジションである場合には、フリーラン惰性走行の実行が判断され（ｔ１時点）、そのフリーラン惰性走行が実行される（ｔ１時点以降）。アクセルオンに伴って通常走行への復帰が判断されると（ｔ２時点）、エンジン１４が始動されると共にクラッチＣ１が係合されて（ｔ２時点乃至ｔ３時点）、通常走行が実行される（ｔ３時点以降）。その通常走行中にアクセルオフされたときにＭポジションである場合には、ニュートラル惰性走行の実行が判断され（ｔ４時点）、そのニュートラル惰性走行が実行される（ｔ４時点以降）。アクセルオンに伴って通常走行への復帰が判断されると（ｔ５時点）、クラッチＣ１が係合されて（ｔ５時点乃至ｔ６時点）、通常走行が実行される（ｔ６時点以降）。ニュートラル惰性走行からの復帰ではエンジン始動がないので、その復帰時の応答時間Ｔmがフリーラン惰性走行からの復帰時の応答時間Ｔdよりも短くされる。よって、動力性能を重視していると考えられるＭポジション選択時にはニュートラル惰性走行を実行することで、ある程度燃費を向上させつつ、運転者が所望する駆動力を発生させるまでの応答性を向上させられる。一方で、Ｍポジション選択時に比べて動力性能を重視していないと考えられるＤポジション選択時にはフリーラン惰性走行を実行することで、最大限燃費を向上させられる。
【００４０】
上述のように、本実施例によれば、運転者が動力性能を重視しているか否かに基づいて、エンジン１４の状態が異なる惰性走行を最適に選択できる。例えば、運転者が動力性能を重視しているときは、通常走行への復帰時にエンジンの始動を必要としないニュートラル惰性走行を選択することで、エンジン１４と車輪２０とを連結したままの惰性走行（例えばエンジンブレーキ走行）よりも燃費を良くしつつ、運転者の動力性能重視の期待にも応えることができる。一方で、運転者が動力性能を重視していないときは、エンジン１４を停止するフリーラン惰性走行を選択することで、燃費を大幅に向上させることができる。従って、運転者が動力性能よりも燃費性能を重視しているときにフリーラン惰性走行を選択することで、運転者の燃費性能重視の期待に応えることができる。よって、エンジン１４と車輪２０とを切り離して走行する惰性走行を実行する際に、所望の走行性能を実現することができる。つまり、エンジン１４の状態が異なる惰性走行を実行する際に、動力性能と燃費性能とを両立させることができる。
【００４１】
また、本実施例によれば、動力性能を重視する度合が大きいときとは、自動変速モード（例えばＤポジション）が選択されているときに対して、手動変速モード（例えばＭポジション）が選択されているときであるので、運転者が手動変速モードを選択しているか自動変速モードを選択しているかに基づいて、エンジン１４の状態が異なる惰性走行を最適に選択できる。
【００４２】
次に、本発明の他の実施例を説明する。なお、以下の説明において実施例相互に共通する部分には同一の符号を付して説明を省略する。
【実施例２】
【００４３】
前述の実施例１では、運転者が動力性能を重視していると考えられる場合として、手動変速モードが選択されている場合を取り挙げた。ここで、車両１０では、運転者は、運転モードとして、ノーマルモードに加えてスポーツモードとエコモードとを選択することができる。運転者がスポーツモードを選択する場合には、ノーマルモードやエコモードと比較して、動力性能を重視した走行を望んでいると考えられる。一方で、運転者がエコモードを選択する場合には、ノーマルモードやスポーツモードと比較して、燃費性能を重視した走行を望んでいると考えられる。つまり、スポーツモードが選択されているときは、ノーマルモードが選択されているときに対して、動力性能を重視する度合が大きい。また、ノーマルモードが選択されているときは、エコモードが選択されているときに対して、動力性能を重視する度合が大きい。
【００４４】
そこで、走行モード判断部８０は、通常走行中にアクセルオフ等によって惰性走行の実行を判断したときに、スポーツモードが選択されている場合には、ニュートラル惰性走行の実行を判断する。一方で、走行モード判断部８０は、通常走行中にアクセルオフ等によって惰性走行の実行を判断したときに、エコモードが選択されている場合には、フリーラン惰性走行の実行を判断する。他方で、走行モード判断部８０は、通常走行中にアクセルオフ等によって惰性走行の実行を判断したときに、ノーマルモードが選択されている場合には、予め定められた惰性走行条件に基づいてフリーラン惰性走行或いはニュートラル惰性走行の実行を判断する。或いは、ノーマルモード選択時には、スポーツモード選択時との比較においてフリーラン惰性走行の実行を判断しても良いし、又、エコモード選択時との比較においてニュートラル惰性走行の実行を判断しても良い。また、走行モード判断部８０は、フリーラン惰性走行中或いはニュートラル惰性走行中に運転モード（ノーマルモード、スポーツモード、エコモード）の選択が切り替えられた場合には、上述した各運転モード選択時に対応する惰性走行の実行を判断する。
【００４５】
図５は、電子制御装置７０の制御作動の要部すなわちエンジン１４と車輪２０とを切り離して走行する惰性走行を実行する際に所望の走行性能を実現する為の制御作動を説明するフローチャートであり、例えば数ｍｓｅｃ乃至数十ｍｓｅｃ程度の極めて短いサイクルタイムで繰り返し実行される。この図５は図３に相当する別の実施例であり、図３と異なるステップについて主に説明する。
【００４６】
図５において、前記Ｓ２０の判断が否定される場合は本ルーチンが終了させられるが肯定される場合は走行モード判断部８０に対応するＳ１３０において、運転モードがノーマルモード、スポーツモード、及びエコモードのうちの何れであるかが判断される。このＳ１３０にてスポーツモードであると判断される場合は走行モード判断部８０及びニュートラル惰性走行部７８に対応するＳ１４０において、ニュートラル惰性走行の実行が判断されて、そのニュートラル惰性走行が実行される。一方で、上記Ｓ１３０にてエコモードであると判断される場合は走行モード判断部８０及びフリーラン惰性走行部７６に対応するＳ１５０において、フリーラン惰性走行の実行が判断されて、そのフリーラン惰性走行が実行される。他方で、上記Ｓ１３０にてノーマルモードであると判断される場合は走行モード判断部８０、フリーラン惰性走行部７６、及びニュートラル惰性走行部７８に対応するＳ１６０において、予め定められた惰性走行条件に基づいてフリーラン惰性走行或いはニュートラル惰性走行の実行が判断されて、その判断された惰性走行が実行される。或いは、スポーツモードであると判断される場合に対してフリーラン惰性走行が実行されても良いし、エコモードであると判断される場合に対してニュートラル惰性走行が実行されても良い。尚、繰り返し実行される本フローチャートにおいて、上記Ｓ１４０，Ｓ１５０，Ｓ１６０における各惰性走行中に運転モードの選択が切り替えられると、上記Ｓ１３０における判断がそれに応じて変更される。
【００４７】
上述のように、本実施例によれば、前述の実施例１と同様に、運転者が動力性能を重視しているか否かに基づいて、エンジン１４の状態が異なる惰性走行を最適に選択できる。よって、前述の実施例１と同様の効果が得られる。
【００４８】
また、本実施例によれば、動力性能を重視する度合が大きいときとは、ノーマルモードが選択されているときに対してスポーツモードが選択されているときであり、エコモードが選択されているときに対してノーマルモードが選択されているときであるので、運転者がどの運転モード（スポーツモード、ノーマルモード、エコモード）を選択しているかに基づいて、エンジン１４の状態が異なる惰性走行を最適に選択できる。例えば、動力性能を重視していると考えられるスポーツモード選択時にはニュートラル惰性走行を実行することで、ある程度燃費を向上させつつ、運転者が所望する駆動力を発生させるまでの応答性を向上させられる。一方で、燃費性能を重視していると考えられるエコモード選択時にはフリーラン惰性走行を実行することで、最大限燃費を向上させられる。他方、動力性能と燃費性能とのバランス（両立）を重視していると考えられるノーマルモード選択時には適宜ニュートラル惰性走行或いはフリーラン惰性走行を実行することで、所望の走行性能が満たされ易くなる。
【実施例３】
【００４９】
本実施例の車両１０には、更に、Ｍポジションにおけるアップシフト位置「＋」又はダウンシフト位置「−」へのシフトレバー４２による変速操作と同等の変速操作をすることが可能な変速操作装置としてのパドルスイッチ９０が設けられている。図６は、変速操作を行う為にシフトレバー４２とは別に設けられたパドルスイッチ９０の一例を示す図である。図６において、パドルスイッチ９０は、ステアリングホイール９２に搭載されており、アップシフトスイッチ９４及びダウンシフトスイッチ９６が設けられている。アップシフトスイッチ９４及びダウンシフトスイッチ９６は、例えばステアリングホイール９２を握ったままで運転者側に操作することでシフトレバー４２による変速操作と同等の変速操作が可能である。具体的には、シフトレバー４２がＭポジションに操作されているときは勿論のこと、Ｄポジションに操作されているときであっても、アップシフトスイッチ９４又はダウンシフトスイッチ９６が人為的に操作されると、自動変速機１６のギヤ段が切り換えられる。
【００５０】
変速制御部７４は、シフトポジションＰshがＤポジション或いはＭポジションであるときに（すなわち前進走行ポジションであるときに）パドルスイッチ９０が操作された場合には、変速モードとしてパドル操作に伴う手動変速モードを成立させて、前記変速マップに依ることなく、パドルスイッチ９０における運転者による変速操作に応じたギヤ段が得られるように自動変速機１６の変速制御を実行する油圧指令信号Ｓpを油圧制御装置３２へ出力する。これにより、パドル操作に伴う手動変速モードにおいて、パドルスイッチ９０のユーザ操作に応じた所望のギヤ段に切り換えられる。また、変速制御部７４は、パドル操作に伴う手動変速モード中に、その手動変速モードを解除する解除条件が成立した場合には、パドル操作に伴う手動変速モードを解除する。上記解除条件は、例えばアクセルオン状態が連続して所定のオン時間以上経過したとき、パドルスイッチ９０がユーザ操作されていない時間が連続して所定の無操作時間以上経過したとき、或いは車両１０が停止したときなどに成立する。
【００５１】
ここで、運転者がパドルスイッチ９０を操作する場合には、操作しない場合と比較して、動力性能を重視した走行を望んでいると考えられる。つまり、前進走行ポジション（「Ｄ」又は「Ｍ」）にて、パドルスイッチ９０が人為的に操作されたときは、パドルスイッチ９０が人為的に操作されていないときに対して、動力性能を重視する度合が大きい。
【００５２】
そこで、走行モード判断部８０は、通常走行中にアクセルオフ等によって惰性走行の実行を判断したときに、パドル操作に伴う手動変速モードである場合には、ニュートラル惰性走行の実行を判断する。一方で、走行モード判断部８０は、通常走行中にアクセルオフ等によって惰性走行の実行を判断したときに、パドル操作に伴う手動変速モードでない場合には、フリーラン惰性走行の実行を判断する。また、走行モード判断部８０は、ニュートラル惰性走行中にパドル操作に伴う手動変速モードが解除された場合には、フリーラン惰性走行の実行を判断する。一方で、走行モード判断部８０は、フリーラン惰性走行中にパドル操作に伴う手動変速モードとなった場合には、ニュートラル惰性走行の実行を判断する。
【００５３】
図７は、電子制御装置７０の制御作動の要部すなわちエンジン１４と車輪２０とを切り離して走行する惰性走行を実行する際に所望の走行性能を実現する為の制御作動を説明するフローチャートであり、例えば数ｍｓｅｃ乃至数十ｍｓｅｃ程度の極めて短いサイクルタイムで繰り返し実行される。この図７は図３に相当する別の実施例であり、図３と異なるステップについて主に説明する。
【００５４】
図７において、前記Ｓ２０の判断が否定される場合は本ルーチンが終了させられるが肯定される場合は走行モード判断部８０に対応するＳ２３０において、パドル操作に伴う手動変速モードであるか否かが判断される。このＳ２３０の判断が肯定される場合は走行モード判断部８０及びニュートラル惰性走行部７８に対応するＳ２４０において、ニュートラル惰性走行の実行が判断されて、そのニュートラル惰性走行が実行される。一方で、上記Ｓ２３０の判断が否定される場合は走行モード判断部８０及びフリーラン惰性走行部７６に対応するＳ２５０において、フリーラン惰性走行の実行が判断されて、そのフリーラン惰性走行が実行される。尚、繰り返し実行される本フローチャートにおいて、上記Ｓ２４０におけるニュートラル惰性走行中にパドル操作に伴う手動変速モードが解除されると、上記Ｓ２３０の判断が否定され、また、上記Ｓ２５０におけるフリーラン惰性走行中にパドル操作に伴う手動変速モードとされると、上記Ｓ２３０の判断が肯定される。
【００５５】
上述のように、本実施例によれば、前述の実施例１と同様に、運転者が動力性能を重視しているか否かに基づいて、エンジン１４の状態が異なる惰性走行を最適に選択できる。よって、前述の実施例１と同様の効果が得られる。
【００５６】
また、本実施例によれば、動力性能を重視する度合が大きいときとは、前進走行ポジション（「Ｄ」又は「Ｍ」）にて、パドルスイッチ９０が人為的に操作されていないときに対して、パドルスイッチ９０が人為的に操作されたときであるので、「Ｄ」か「Ｍ」かに拘わらず、運転者が前進走行ポジションにてパドルスイッチ９０を操作したか否かに基づいて、エンジン１４の状態が異なる惰性走行を最適に選択できる。
【００５７】
以上、本発明の実施例を図面に基づいて詳細に説明したが、本発明はその他の態様においても適用される。
【００５８】
例えば、前述の実施例において、各実施例が独立して実施されているが、上記各実施例は必ずしも独立して実施する必要はなく、適宜組み合わせて実施しても構わない。
【００５９】
また、前述の実施例では、エンジン１４と車輪２０とを切り離す断接装置として、自動変速機１６の一部を構成するクラッチＣ１を例示したが、これに限らない。例えば、クラッチＣ１は、自動変速機１６とは独立して設けられていても良い。また、自動変速機１６が例えばベルト式無段変速機である場合、クラッチＣ１はその無段変速機とは独立して設けられることになるが、ベルト式無段変速機と共に車両に備えられる公知の前後進切換装置或いはその前後進切換装置に含まれる係合装置を断接装置としても良い。
【００６０】
また、前述の実施例では、手動変速モード、スポーツモード、パドルスイッチ９０のユーザ操作等を例示して、動力性能を重視する度合が大きいときを説明したが、これに限らない。要は、動力性能を重視していると考えられるモード（様式）等があれば、本発明は適用され得る。
【００６１】
また、前述の実施例において、手動変速モードの選択に基づいて惰性走行を選択する実施例（実施例１参照）を実施しなければ、手動変速モードを有する必要はない。また、運転モード（ノーマルモード、スポーツモード、エコモード）の選択に基づいて惰性走行を選択する実施例（実施例２参照）を実施しなければ、運転モード選択スイッチ４８を備える必要はない。また、パドルスイッチ９０の操作に基づいて惰性走行を選択する実施例（実施例３参照）を実施しなければ、パドルスイッチ９０を備える必要はない。また、運転モードの選択に基づいて惰性走行を選択する実施例を実施する場合であっても、必ずしも上記３つのモードを選択可能な運転モード選択スイッチ４８を備える必要はない。例えば、ノーマルモードとエコモードとを比較するだけであればこの２つのモードを選択可能な運転モード選択スイッチを備えておれば良い。
【００６２】
また、前述の実施例では、手動変速モードは、シフトレバー４２やパドルスイッチ９０の操作に応じて変速段（変速比）が指定されるギヤ段固定のものであったが、例えば自動変速制御における高速側（高車速側）の変速段（変速比）の使用を制限する所謂マニュアルレンジが設定されるシフトレンジ固定のものであっても構わない。また、Ｍポジションにて手動変速モードが成立する態様以外に、例えば公知の「２」，「Ｌ」ポジション（レンジ）にて手動変速モードが成立する車両であっても良い。
【００６３】
また、前述の実施例では、シフトレバー４２とは別に設けられてシフトレバー４２による変速操作と同等の変速操作をすることが可能な変速操作装置として、ステアリングホイール９２に搭載されたパドルスイッチ９０を例示したが、これに限らない。例えば、この変速操作装置は、ステアリングホイールパッド近傍のステアリングホイールスポーク或いはステアリングホイールリングに設けられたステアリングスイッチなどであっても良い。また、シフト操作装置４０や運転モード選択スイッチ４８についても、種々の形式の装置やスイッチが用いられ得る。極論すれば、手動操作に因らず運転者の音声に反応して各種モードを選択可能な装置等であっても良い。要は、シフト操作装置４０、運転モード選択スイッチ４８、パドルスイッチ９０等は、求められる機能を実現できる装置などであれば良い。
【００６４】
尚、上述したのはあくまでも一実施形態であり、本発明は当業者の知識に基づいて種々の変更、改良を加えた態様で実施することができる。
【符号の説明】
【００６５】
１０：車両
１４：エンジン
１６：自動変速機
２０：車輪
４０：シフト操作装置（ポジション選択装置）
７０：電子制御装置（走行制御装置）
９０：パドルスイッチ（変速操作装置）
Ｃ１：クラッチ（断接装置）
【図１】
2014084960.tif 000003
【図２】
2014084960.tif 000004
【図３】
2014084960.tif 000005
【図４】
2014084960.tif 000006
【図５】
2014084960.tif 000007
【図６】
2014084960.tif 000008
【図７】
2014084960.tif 000009